(57)【特許請求の範囲】
【請求項１】
上ケースと下ケースとを組み合わせた２ピース構造であって取付け基板に固定されるケースと、Ｘ−Ｙ方向の信号入力のために上ケースに装着され且つ前記基板の表面に沿って周囲全方向にスライド操作されるスライド式の操作体と、操作体のスライド操作に伴ってケース内をＸ方向及びＹ方向へ直線的に移動する一対の移動体と、下ケースの面上に取付けられ且つ上面に一対の抵抗回路が各々形成された内蔵基板と、上ケースの裏側に形成されたリブ状の制止部が両側から当接して各々収縮可能であり且つ一対の移動体を原点位置に各々復帰させる一対の原点復帰用のスプリングと、一対の移動体の移動に応じて出力抵抗が各々変化するＸ−Ｙ方向のボリューム部とを備え、前記一対の移動体は、移動方向に直角な方向に延びており且つ前記操作体の固定部が挿入される長穴が形成された板状の金属部と、金属部の両端部に取付けられ且つケース内に当該移動方向に移動自在に支持された一対の樹脂部とを各々有し、前記一対の樹脂部の一方の上側には、原点復帰用のスプリングを収納する凹状の収容部と、前記一対の樹脂部の一方の収容部内側寄りの下側又は前記一対の樹脂部の他方の下側には接触子が配設され、一対の接触子が一対の抵抗回路に摺接し、これによりＸ−Ｙ方向のボリューム部が構成されていることを特徴とするポインティング装置。
【請求項２】
上ケースと下ケースとを組み合わせた２ピース構造であって取付け基板に固定されるケースと、Ｘ−Ｙ方向の信号入力のために上ケースに装着され且つ前記基板の表面に沿って周囲全方向にスライド操作されるスライド式の操作体と、操作体のスライド操作に伴ってケース内をＸ方向及びＹ方向へ直線的に移動する一対の移動体と、下ケースの面上に取付けられ且つ上面に一対の抵抗回路が各々形成された内蔵基板と、上ケースの裏側に形成された凹状の収容部に各々収容され且つ一対の移動体を原点位置に各々復帰させる一対の原点復帰用のスプリングと、一対の移動体の移動に応じて出力抵抗が各々変化するＸ−Ｙ方向のボリューム部とを備え、前記移動体は、移動方向に直角な方向に延びており且つ前記操作体の固定部が挿入される長穴が形成された板状の金属部と、金属部の両端部に取付けられ且つケース内に当該移動方向に移動自在に支持された一対の樹脂部とを各々有し、前記一対の樹脂部の一方の上側には、当該原点復帰用のスプリングを両側から当接して収縮可能とするためのリブ状の制止部が形成される一方、前記一対の樹脂部の一方の制止部内側寄りの下側又は前記一対の樹脂部の他方の下側には接触子が配設され、一対の接触子が一対の抵抗回路に摺接し、これによりＸ−Ｙ方向のボリューム部が構成されていることを特徴とするポインティング装置。
【請求項３】
前記ケースは、上ケース及び下ケースの少なくとも一方が金属板からなることを特徴とする請求項１又は２に記載のポインティング装置。
【請求項４】
前記操作体は、Ｘ−Ｙ方向に直角なＺ方向に移動可能であり、下方に配置された押し下げスイッチを操作可能としたことを特徴とする請求項１又は２に記載のポインティング装置。
【請求項５】
前記押し下げスイッチは、前記内蔵基板の上面に形成されたスイッチ回路と、スイッチ回路上に固定された弾性接片とで構成されていることを特徴とする請求項４に記載のポインティング装置。
【発明の詳細な説明】
【０００１】
【発明の属する技術分野】
本発明は、リモコン、ゲーム機、携帯電話、ＰＤＡ、ノート型パーソナルコンピュータ等の各種電子機器において、Ｘ−Ｙ方向の信号入力のために使用されるポインティング装置に関し、更に詳しくは、取付け基板の板面に沿って操作体をスライド操作するスライド操作式のポインティング装置に関する。
【０００２】
【従来の技術】
Ｘ−Ｙ方向の信号入力装置として使用されるスライド操作式のポインティング装置は、基本的に、取付け基板に固定されるケースと、Ｘ−Ｙ方向の信号入力のためにケースに装着され、且つ前記基板の表面に沿って周囲全方向にスライド操作されるスライド式の操作体と、操作体のスライド操作に伴ってケース内をＸ方向及びＹ方向へ直線的に移動する一対の移動体と、一対の移動体の移動位置を検出して、Ｘ−Ｙ方向の電気信号を出力する一対の信号出力手段とを備えている。
【０００３】
ここにおける信号出力手段としては、ボリュームのほか、磁気センサによるものが知られているが、磁気センサによるものは大型で高価である。このため、特開平５−３２４１８７号公報に記載されたＸ−Ｙ方向入力装置のように、ボリュームからなる信号出力手段を使用するのが、装置の小型化及び低コスト化の点から好ましいと言える。
【０００４】
特開平５−３２４１８７号公報に記載されたＸ−Ｙ方向入力装置では、ケース内に収容された一対の移動体に接触子を取付け、各接触子を、移動体と共にケース内に収容された専用基板の表面の抵抗回路に摺接させることにより、ケース内にボリュームが構成されている。そして、このケース内のボリュームは、ケースが固定される取付け基板の表面の電気回路とコネクタやハンダ付けにより接続される。
【０００５】
【発明が解決しようとする課題】
このような従来のポインティング装置は、信号出力手段としてボリュームを使用するので、磁気的な信号出力手段を使用するものよりも小型で安価となる。しかし、そのボリュームを構成するためにケース内に専用基板が設けられるため、これによる装置高の増大が問題になる。
【０００６】
また、ポインティング装置の機能向上のために、操作体で押し下げスイッチの操作を可能にすることが考えられるが、押し下げスイッチの操作を可能にする場合は、装置高が一層増大することになる。
【０００７】
本発明はかかる事情に鑑みて創案されたものであり、信号出力手段としてのボリュームをケース内に構成する場合にあっても装置高を低く抑制でき、更には操作体で押し下げスイッチの操作を可能にする場合にあっても、装置高の増大を可及的に回避できる薄型のポインティング装置を提供することにある。
【０００８】
【課題を解決するための手段】
上記目的を達成するために、本発明に係るポインティング装置は、上ケースと下ケースとを組み合わせた２ピース構造であって取付け基板に固定されるケースと、Ｘ−Ｙ方向の信号入力のために上ケースに装着され且つ前記基板の表面に沿って周囲全方向にスライド操作されるスライド式の操作体と、操作体のスライド操作に伴ってケース内をＸ方向及びＹ方向へ直線的に移動する一対の移動体と、下ケースの面上に取付けられ且つ上面に一対の抵抗回路が各々形成された内蔵基板と、上ケースの裏側に形成されたリブ状の制止部が両側から当接して各々収縮可能であり且つ一対の移動体を原点位置に各々復帰させる一対の原点復帰用のスプリングと、一対の移動体の移動に応じて出力抵抗が各々変化するＸ−Ｙ方向のボリューム部とを備え、前記一対の移動体は、移動方向に直角な方向に延びており且つ前記操作体の固定部が挿入される長穴が形成された板状の金属部と、金属部の両端部に取付けられ且つケース内に当該移動方向に移動自在に支持された一対の樹脂部とを各々有し、前記一対の樹脂部の一方の上側には、原点復帰用のスプリングを収納する凹状の収容部と、前記一対の樹脂部の一方の収容部内側寄りの下側又は前記一対の樹脂部の他方の下側には接触子が配設され、一対の接触子が一対の抵抗回路に摺接し、これによりＸ−Ｙ方向のボリューム部が構成されている。
【０００９】
本発明に係る他のポインティング装置は、上ケースと下ケースとを組み合わせた２ピース構造であって取付け基板に固定されるケースと、Ｘ−Ｙ方向の信号入力のために上ケースに装着され且つ前記基板の表面に沿って周囲全方向にスライド操作されるスライド式の操作体と、操作体のスライド操作に伴ってケース内をＸ方向及びＹ方向へ直線的に移動する一対の移動体と、下ケースの面上に取付けられ且つ上面に一対の抵抗回路が各々形成された内蔵基板と、上ケースの裏側に形成された凹状の収容部に各々収容され且つ一対の移動体を原点位置に各々復帰させる一対の原点復帰用のスプリングと、一対の移動体の移動に応じて出力抵抗が各々変化するＸ−Ｙ方向のボリューム部とを備え、前記移動体は、移動方向に直角な方向に延びており且つ前記操作体の固定部が挿入される長穴が形成された板状の金属部と、金属部の両端部に取付けられ且つケース内に当該移動方向に移動自在に支持された一対の樹脂部とを各々有し、前記一対の樹脂部の一方の上側には、当該原点復帰用のスプリングを両側から当接して収縮可能とするためのリブ状の制止部が形成される一方、前記一対の樹脂部の一方の制止部内側寄りの下側又は前記一対の樹脂部の他方の下側には接触子が配設され、一対の接触子が一対の抵抗回路に摺接し、これによりＸ−Ｙ方向のボリューム部が構成されている。
【００１０】
好ましくは、ケースについては、上ケース及び下ケースの少なくとも一方が金属板からなることが望ましい。
【００１１】
操作体については、Ｘ−Ｙ方向に直角なＺ方向に移動可能であり、下方に配置された押し下げスイッチを操作可能とするようにしても良い。
【００１２】
この場合の押し下げスイッチについては、前記内蔵基板の上面に形成されたスイッチ回路と、スイッチ回路上に固定された弾性接片とで構成されたものを用いことが望ましい。
【００１４】
【発明の実施の形態】
以下に本発明の実施形態を図面に基づいて説明する。図１は本発明の実施形態に係るポインティング装置の平面図、図２は同ポインティング装置の縦断正面図、図３は同ポインティング装置の透視平面図、図４は同ポインティング装置に使用された上ケースの平面図、図５は同上ケースの縦断正面図、図６は同上ケースの底面図、図７は同ポインティング装置に使用された下ケースの平面図、図８は同下ケースの縦断正面図、図９は同ポインティング装置に使用された下段の移動体の平面図、図１０は同移動体の縦断側面図、図１１は同移動体の底面図である。
【００１５】
本発明の実施形態に係るポインティング装置は、図１〜図３に示すように、取付け基板上に固定されるケース１０と、Ｘ−Ｙ方向の信号入力のためにケース１０に装着されたスライド式の操作体２０と、操作体２０のスライド操作に伴ってケース１０内をＸ−Ｙ方向へ直線的に移動する上下一組の移動体３０Ａ，３０Ｂと、Ｘ−Ｙ方向のボリューム部及びＸ−Ｙ方向に直角なＺ方向の押し下げスイッチを構成するためにケース１０内に収容された内蔵基板４０と、内蔵基板４０と共にケース１０の直交する２辺部にＸ−Ｙ方向のボリューム部を構成するために、移動体３０Ａ，３０Ｂの各側端部に取付けられた一組の接触子５０Ａ，５０Ｂと、移動体３０Ａ，３０Ｂを原点位置に自動復帰させるためにＸ−Ｙ方向のボリューム部に組み込まれた一組のスプリング６０Ａ，６０Ｂとを備えている。
【００１６】
ここで、移動体３０Ａ及び接触子５０ＡはＹ方向の信号入力を行い、移動体３０Ｂ及び接触子５０ＢはＸ方向の信号入力を行う。
【００１７】
ケース１０は、天板部を形成する上ケース１０ａに、底板部を形成する下ケース１０ｂを組み合わせた２ピース構造である。上ケース１０ａは、図４〜図６に示すように、下面が開放した略四角形の偏平な樹脂キャップである。上ケース１０ａの天板部１１には、操作体２０の一部を上方に突出させるために、円形の開口部１２が設けられている。
【００１８】
天板部１１の直交する２辺部には、ボリュームを構成するために、開口部１２に対して側方へ張り出した張出部１３Ａ，１３Ｂが設けられている。張出部１３Ａ，１３Ｂの各下面には、スプリング６０Ａ，６０Ｂが嵌合する浅い凹部１４Ａ，１４Ｂが、各辺に沿って設けられている。また、移動体３０Ａ，３０Ｂの移動時にスプリング６０Ａ，６０Ｂを圧縮するために、リブ状の突起からなる一対の制止部１５Ａ，１５Ａ及び１５Ｂ，１５Ｂが、凹部１４Ａ及び１４Ｂの両端側に位置して設けられている。
【００１９】
上ケース１０ａの４つの側壁部の各外面には、下ケース１０ｂとの連結固定のために爪部１６が設けられている。
【００２０】
下ケース１０ｂは、図７及び図８に示すように、金属板の成形加工品であり、樹脂製の前記上ケース１０ａに下方から嵌合して、上ケース１０ａと連結される（図２参照）。
【００２１】
下ケース１０ｂの底板部１７には、その底板部１７上に内蔵基板４０を位置決めするために、複数の突起１７′が設けられている。突起１７′は、底板部１７の一部を上方へ切り起こすことよって形成されている。底板部１７の直交する２辺部には、上ケース１０ａの張出部１３Ａ，１３Ｂに対応する張出部１８Ａ，１８Ｂが設けられている。また、底板部１７の４辺部には、上ケース１０ａの爪部１６に係合する固定部１９が、底板部１７の縁部を上方へ立ち上げることによってそれぞれ形成されている。
【００２２】
操作体２０は、図１及び図２に示すように、円板状の操作部２１と、操作部２１の下面に取付けられた抜け止め部２２と、抜け止め部２２を固定する固定部２３とを有している。操作部２１は、上ケース１０ａの天板部１１より上方に突出している。抜け止め部２２は金属板からなり、天板部１１の下側で操作部２１の下面中心部に固定されることにより、操作体２０のＺ方向の移動を許容しつつ、その上方への抜けを阻止する。固定部２３は、天板部１１の下面中心部に圧入により固定されて、下面中心部との間に抜け止め部２２を保持する。ケース１０内に挿入されたこの固定部２３は、移動体３０Ａ，３０Ｂを操作する操作部を兼ねている。
【００２３】
上下一組の移動体３０Ａ，３０Ｂのうち、上段の移動体３０ＡはＹ方向の信号入力を行い、Ｙ方向にのみ移動可能である。下段の移動体３０ＢはＸ方向の信号入力を行い、Ｘ方向にのみ移動可能である。両者は直角に組み合わされているが、個々の実質的な構成は同じである。この構成を、下段の移動体３０Ｂにつき、図９〜図１１により説明する。
【００２４】
下段の移動体３０Ｂは、金属板からなる金属部３１Ｂと、金属部３１Ｂの両端部に取付けられた一対の樹脂部３２Ｂ，３３Ｂとからなる。金属部３１Ｂは移動方向（Ｘ方向）に直角なＹ方向に延びるほぼ平板である。金属部３１Ｂには、操作体２０の固定部２３が貫通する四角形の長孔３４Ｂが設けられている。長孔３４Ｂは、操作体２０のＹ方向の相対移動を許容するために、Ｙ方向に長く延びている。金属部３１ＢのＹ方向の両端部は、樹脂部３２Ｂ，３３Ｂにモールドされることで樹脂部３２Ｂ，３３Ｂと結合されている。
【００２５】
一対の樹脂部３２Ｂ，３３Ｂは、ケース１０内に金属部３１Ｂを保持するスライダであり、ケース１０の上ケース１０ａと下ケース１０ｂの間、より正確には下ケース１０ｂの底板部１７上に載置された内蔵基板４０の上を、平行な２辺部に沿ってＸ方向に摺動する。一方の樹脂部３２Ｂは純粋なスライダであるのに対し、他方の樹脂部３３Ｂはボリューム部及び原点復帰機構の構成部材を兼ねている。
【００２６】
樹脂部３３Ｂは、上ケース１０ａの張出部１３Ｂと下ケース１０ｂの張出部１８Ｂとの間、より正確には下ケース１０ｂの底板部１７上に載置された内蔵基板４０の縁部上に配置されている。樹脂部３３Ｂの上面には、スプリング６０Ｂを収容する凹状の第１収容部３５Ｂが、張出部１３Ｂの下面に形成された凹部１４Ｂに対応して設けられている。第１収容部３５Ｂの両端側には、一対のスリット状の凹部３６Ｂ，３６Ｂが、第１収容部３５Ｂに連続して設けられている。凹部３６Ｂ，３６Ｂには、張出部１３Ｂの下面に設けられた制止部１５Ｂ，１５Ｂが移動可能に挿入される
【００２７】
一方、樹脂部３３Ｂの下面には、接触子５０Ｂを収容する第２収容部３７Ｂが設けられている。第２収容部３７Ｂは、樹脂部３３Ｂの厚み増大を回避するために、第１収容部３５Ｂと重ならないようその内側に設けられている。接触子５０Ｂは、第２収容部３７Ｂの天井面に下向きに固定されている。
【００２８】
上段の移動体３０Ａは、図２に示されるように、金属板からなる金属部３１Ａと、金属部３１Ａの両端部に取付けられた一対の樹脂部３２Ａ，３３Ａとからなり、樹脂部３３Ａは、ボリューム部及び原点復帰機構の構成部材を兼ねている。
【００２９】
この移動体３０Ａは、上述した下段の移動体３０Ｂに対して直角に配置される点、及び金属部３１Ａが下段の移動体３０Ｂの金属部３１Ｂと干渉しないように形成されている点を除き、下段の移動体３０Ｂと実質同一構成であるので、対応する部分に同一数字の符号（但し添字はＡ）を付けて説明を省略する。
【００３０】
内蔵基板４０は、下ケース１０ｂの底板部１７上に載置されている。内蔵基板４０の直交する２辺部の上面には、ボリューム部を構成するために一組の抵抗回路が形成されており、一組の接触子５０Ａ，５０Ｂは、この一組の抵抗回路に上方から弾性的に接触する。内蔵基板４０のほぼ中央部上面には、押し下げスイッチを構成するために、スイッチ回路が形成されると共に、スナッププレートと呼ばれるドーム状の弾性接片４１がテープにより固定されている。弾性接片４１は、操作体２０を上方へ付勢する一方、下方へ変形することにより下方のスイッチ回路を短絡させる。
【００３１】
内蔵基板４０の一部は、端子部４２としてケース１０の外に突出する（図１及び図３参照）。端子部４２の付け根の部分には、上ケース１０ａの側壁部及び下ケース１０ｂの固定部１９を貫通させるために、開口部４３が設けられている。
【００３２】
一組のスプリング６０Ａ，６０Ｂのうち、一方のスプリング６０Ａは、上ケース１０ａの張出部１３Ａと移動体３０Ａの樹脂部３３Ａの間に配置されており、より具体的には、樹脂部３３Ａの上面に設けられた第１収容部３５Ａ内に若干圧縮された状態で収容されている。そして、このスプリング６０Ａには、張出部１３Ａの下面に設けられた制止部１５Ａ，１５Ａが両端側から当接している。
【００３３】
同様に、他方のスプリング６０Ｂは、上ケース１０ａの張出部１３Ｂと移動体３０Ｂの樹脂部３３Ｂの間に配置されており、より具体的には、樹脂部３３Ｂの上面に設けられた第１収容部３５Ｂ内に若干圧縮された状態で収容されている。そして、このスプリング６０Ｂには、張出部１３Ｂの下面に設けられた制止部１５Ｂ，１５Ｂが両端側から当接している。
【００３４】
次に、本発明の実施形態に係るポインティング装置の機能について説明する。
【００３５】
操作体２０にＸ−Ｙ方向の外力を加えないときは、スプリング６０Ａ，６０Ｂにより移動体３０Ａ，３０Ｂが原点位置に弾性的に保持される。その結果、操作体２０も原点位置に弾性的に保持される。また、弾性接片４１による付勢により、操作体２０が上限位置（抜け止め部２２が上ケース１０ａの天板部１１に下方から当接する位置）に弾性的に保持される。
【００３６】
操作体２０をＸ方向に操作すると、下段の移動体３０ＢがＸ方向に移動する。これに伴って、接触子５０Ｂが内蔵基板４０上の対応する抵抗回路上を摺動する。その結果、Ｘ方向の移動量に対応した電気信号が出力され、当該装置を使用する電子機器に入力される。また、移動体３０Ｂの移動に伴って、その第１収容部３５Ｂ内に収容されたスプリング６０Ｂが軸方向に移動しようとするが、上ケース１０ａの張出部１３Ｂの下面に設けられた制止部１５Ｂ，１５Ｂの一方でその移動が阻止されるため、スプリング６０Ｂが軸方向に押圧されて圧縮される。このため、操作体２０に付加されている外力を取り除くと、移動体３０Ｂが原点位置に自動復帰し、これによって操作体２０も原点位置に自動復帰する。
【００３７】
操作体２０をＹ方向に操作すると、上段の移動体３０ＡがＹ方向に移動する。これに伴って、接触子５０Ａが内蔵基板４０上の対応する抵抗回路上を摺動する。その結果、移動量に対応した電気信号が出力され、当該装置を使用する電子機器に入力される。また、移動体３０Ａの移動に伴ってスプリング６０Ａが軸方向に移動するが、上ケース１０ａの張出部１３Ａの下面に設けられた制止部１５Ａ，１５Ａの一方でその移動が阻止されるため、スプリング６０Ａが軸方向に押圧されて圧縮される。このため、操作体２０に付加されている外力を取り除くと、移動体３０Ａが原点位置に自動復帰し、これによって操作体２０も原点位置に自動復帰する。
【００３８】
これらの操作の組み合わにより、操作体２０のＸ−Ｙ方向の移動方向及び移動量に応じた電気信号が、当該装置を使用する電子機器に入力される。
【００３９】
また、弾性接片４１による付勢力に抗して操作体２０を下方に押すと、弾性接片４１が変形し、下方の内蔵基板４０の上面に形成されたスイッチ回路を短絡させる。これにより、押し下げスイッチとしての機能が得られる。
【００４０】
信号出力手段としてのボリューム部は、ケース１０の直交する２辺部内に内蔵されている。このため、外付けのボリュームを使用する場合に比べて部品点数が低減する。特に、移動体３０Ａ，３０Ｂの一方の樹脂部２３Ａ，２３Ｂが、スライダと共に、ボリューム部の構成部材及び原点復帰機構の構成部材を兼ねるので、部品点数がとりわけ少ない。また、内蔵基板４０がボリューム部と押し下げスイッチの両方に使用されているので、この点からも部品点数が低減される。
【００４１】
そして、ケース１０内にボリューム部が内蔵基板４０と共に収容され、且つ、押し下げスイッチが組み込まれているにもかかわらず、移動体３０Ａ，３０Ｂが板状の金属部３２Ａ，３２Ｂを使用し、下ケース１０ｂが金属板により構成されているため、装置高が低く抑制される。
【００４２】
即ち、本発明の実施形態に係るポインティング装置は、多機能であるにもかかわらず、薄型である。
【００４３】
また、スプリング６０Ａは、上ケース１０ａの張出部１３Ａと移動体３０Ａの樹脂部３３Ａの間に平行に収容され、スプリング６０Ｂは、上ケース１０ａの張出部１３Ｂと移動体３０Ｂの樹脂部３３Ｂの間に平行に収容されているので、スプリング６０Ａ，６０Ｂを設けたことによる装置外寸の増大が可及的に回避される。
【００４４】
なお、上記実施形態では、スプリング６０Ａ，６０Ｂを収容する収容部を移動体３０Ａ，３０Ｂの樹脂部３３Ａ，３３Ｂの上面に設け、移動体３０Ａ，３０Ｂの移動時にスプリング６０Ａ，６０Ｂを圧縮する制止部を上ケース１０ａの張出部１３Ａ，１３Ｂの下面に設けたが、スプリング６０Ａ，６０Ｂを収容する収容部を上ケース１０ａの張出部１３Ａ，１３Ｂの下面に設け、移動体３０Ａ，３０Ｂの移動時にスプリング６０Ａ，６０Ｂを圧縮する制止部を移動体３０Ａ，３０Ｂの樹脂部３３Ａ，３３Ｂの上面に設けることも可能である。
【００４５】
また、スプリング６０Ａ，６０Ｂの一方の樹脂部３２Ａ，３２Ｂの側に原点復帰機構を構成し、他方の樹脂部３３Ａ，３３Ｂの側にボリューム部を構成することも可能である。
【００４６】
【発明の効果】
以上に説明した通り、本発明に係るポインティング装置は、Ｘ−Ｙ方向のボリューム部や原点復帰用のスプリングがケース内に設けられた構成でありながら、装置高を低く抑制でき、部品点数の低減を図ることが可能である。これは、操作体で押し下げスイッチの操作を可能にする場合にあっても同様である。
【図面の簡単な説明】
【図１】本発明の実施形態に係るポインティング装置の平面図である。
【図２】同ポインティング装置の縦断正面図である。
【図３】同ポインティング装置の透視平面図である。
【図４】同ポインティング装置に使用された上ケースの平面図である。
【図５】同上ケースの縦断正面図である。
【図６】同上ケースの底面図である。
【図７】同ポインティング装置に使用された下ケースの平面図である。
【図８】同下ケースの縦断正面図である。
【図９】同ポインティング装置に使用された下段の移動体の平面図である。
【図１０】同移動体の縦断側面図である。
【図１１】同移動体の底面図である。
【符号の説明】
１０  ケース
１０ａ  上ケース
１０ｂ  下ケース
１１  天板部
１３Ａ，１３Ｂ  張出部
１５Ａ，１５Ｂ  制止部
１７  底板部
１８Ａ，１８Ｂ  張出部
２０  操作体
３０Ａ，３０Ｂ  移動体
３１Ａ，３１Ｂ，３３Ａ，３３Ｂ  樹脂部
３２Ａ，３２Ｂ  金属部
３３Ａ，３３Ｂ  樹脂部
３４Ａ，３４Ｂ  開口部
３５Ａ，３５Ｂ  第１収容部
３７Ａ，３７Ｂ  第２収容部
４０  内蔵基板
４１  弾性接片
４２  端子部
５０Ａ，５０Ｂ  接触子
６０Ａ，６０Ｂ  スプリング
【図１】
0003732380.tif 000002
【図２】
0003732380.tif 000003
【図３】
0003732380.tif 000004
【図４】
0003732380.tif 000005
【図５】
0003732380.tif 000006
【図６】
0003732380.tif 000007
【図７】
0003732380.tif 000008
【図８】
0003732380.tif 000009
【図９】
0003732380.tif 000010
【図１０】
0003732380.tif 000011
【図１１】
0003732380.tif 000012